【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
患者の歯の咬合面に押し当たるように構成され、複数の隆起したディンプルをその上に含むマウスピースであって、それぞれの隆起したディンプルが、前記咬合面のいくつか又はすべての中心にほぼ位置合わせされるような間隔で配置された、マウスピースと、
前記マウスピースに結合したモータであって、前記マウスピースが前記咬合面に軸方向の振動力を加えるように、６０Ｈｚと１３０Ｈｚの間の周波数、並びに０．０３５Ｇと０．１００Ｇの間の加速度で前記マウスピースを振動させるように構成されたモータと
を備える歯科装置。
【請求項２】
それぞれの隆起したディンプルが、それぞれの歯の５０％より小さい面積に圧力を加えるような寸法にすることができる、請求項１に記載の歯科装置。
【請求項３】
前記周波数が１００Ｈｚと１２０Ｈｚの間である、請求項１に記載の歯科装置。
【請求項４】
前記加速度が０．０５Ｇと０．０６Ｇの間である、請求項１に記載の歯科装置。
【請求項５】
前記モータが、複数の周波数及び加速度の間で振動するように構成される、請求項１に記載の歯科装置。
【請求項６】
前記モータが、４つの特定の設定の間で振動するように構成され、前記４つの特定の設定が、０．０３５Ｇにおいて６０Ｈｚ、０．０６Ｇにおいて６０Ｈｚ、０．０３５Ｇにおいて１２０Ｈｚ、及び０．０６Ｇにおいて１２０Ｈｚである、請求項５に記載の歯科装置。
【請求項７】
前記マウスピースが前記患者の歯に合わせるようにカスタマイズされる、請求項１に記載の歯科装置。
【請求項８】
前記マウスピースが、患者の歯の咬合面に押し当たるように構成されたバイトプレートと、ベースに結合するように構成された伸長部とを含み、前記モータが、前記伸長部の長手方向の軸に実質的に一致するカウンタウェイト付きモータである、請求項１に記載の歯科装置。
【請求項９】
前記モータがパンケーキ・モータである、請求項１に記載の歯科装置。
【請求項１０】
前記マウスピースが、患者の歯のすべてにわたって延在するようにＵ字形を有する、請求項１に記載の歯科装置。
【請求項１１】
前記マウスピースが、患者の前歯の６本にわたってだけ延在するように構成される、請求項１に記載の歯科装置。
【請求項１２】
前記マウスピースが、患者の臼歯にわたってだけ延在するように構成される、請求項１に記載の歯科装置。
【請求項１３】
前記患者の歯の前記咬合面に近接する前記振動を検出するように構成されたセンサをさらに備える請求項１に記載の歯科装置。
【請求項１４】
前記検出された振動に基づいて前記モータの設定を調節するように構成されたコントローラをさらに備える請求項１３に記載の歯科装置。
【請求項１５】
患者の歯の咬合面に押し当たるように構成されたマウスピースと、
前記マウスピースに結合したモータであって、前記マウスピースが前記咬合面に軸方向の振動力を加えるように、６０Ｈｚと１３０Ｈｚの間の周波数、並びに０．０３５Ｇと０．１００Ｇの間の加速度で前記マウスピースを振動させるように構成されたモータと
を備える歯科装置であって、重量が５０グラムより軽い歯科装置。
【請求項１６】
前記モータが前記マウスピースを振動させるのに２ボルトより低いことを必要とする、請求項１５に記載の歯科装置。
【請求項１７】
前記周波数が１００Ｈｚと１２０Ｈｚの間である、請求項１５に記載の歯科装置。
【請求項１８】
前記加速度が０．０５Ｇと０．０６Ｇの間である、請求項１５に記載の歯科装置。
【請求項１９】
前記モータが、複数の周波数及び加速度の間で振動するように構成される、請求項１５に記載の歯科装置。
【請求項２０】
前記モータが、４つの特定の設定の間で振動するように構成され、前記４つの特定の設定が、０．０３５Ｇにおいて６０Ｈｚ、０．０６Ｇにおいて６０Ｈｚ、０．０３５Ｇにおいて１２０Ｈｚ、及び０．０６Ｇにおいて１２０Ｈｚである、請求項１９に記載の歯科装置。
【請求項２１】
前記マウスピースが前記患者の歯に合わせるようにカスタマイズされる、請求項１５に記載の歯科装置。
【請求項２２】
前記マウスピースが、患者の歯の咬合面に押し当たるように構成されたバイトプレートと、ベースに結合するように構成された伸長部とを含み、前記モータが、前記伸長部の長手方向の軸に実質的に一致するカウンタウェイト付きモータである、請求項１５に記載の歯科装置。
【請求項２３】
前記モータがパンケーキ・モータである、請求項１５に記載の歯科装置。
【請求項２４】
前記マウスピースが、患者の歯のすべてにわたって延在するようにＵ字形を有する、請求項１５に記載の歯科装置。
【請求項２５】
前記マウスピースが、患者の前歯の６本にわたってだけ延在するように構成される、請求項１５に記載の歯科装置。
【請求項２６】
前記マウスピースが、患者の臼歯にわたってだけ延在するように構成される、請求項１５に記載の歯科装置。
【請求項２７】
前記患者の歯の前記咬合面に近接する前記振動を検出するように構成されたセンサをさらに備える請求項１５に記載の歯科装置。
【請求項２８】
前記検出された振動に基づいて前記モータの設定を調節するように構成されたコントローラをさらに備える請求項２７に記載の歯科装置。
【請求項２９】
患者の歯の咬合面に押し当たるように構成されたマウスピースと、
前記マウスピースに結合したモータであって、前記マウスピースが前記咬合面に軸方向の振動力を加えるように、６０Ｈｚと１３０Ｈｚの間の周波数、並びに０．０３５Ｇと０．１００Ｇの間の加速度で前記マウスピースを振動させるように構成されたモータと、
前記患者の歯の前記咬合面に近接する前記振動を検出するように構成されたセンサと
を備える歯科装置。
【請求項３０】
前記検出された振動に基づいて前記モータの設定を調節するように構成されたコントローラをさらに備える請求項２９に記載の歯科装置。
【請求項３１】
前記センサが圧電センサである、請求項２９に記載の歯科装置。
【請求項３２】
前記周波数が１００Ｈｚと１２０Ｈｚの間である、請求項２９に記載の歯科装置。
【請求項３３】
前記加速度が０．０５Ｇと０．０６Ｇの間である、請求項２９に記載の歯科装置。
【請求項３４】
前記モータが、複数の周波数及び加速度の間で振動するように構成される、請求項２９に記載の歯科装置。
【請求項３５】
前記モータが、４つの特定の設定の間で振動するように構成され、前記４つの特定の設定が、０．０３５Ｇにおいて６０Ｈｚ、０．０６Ｇにおいて６０Ｈｚ、０．０３５Ｇにおいて１２０Ｈｚ、及び０．０６Ｇにおいて１２０Ｈｚである、請求項３４に記載の歯科装置。
【請求項３６】
前記マウスピースが前記患者の歯に合わせるようにカスタマイズされる、請求項２９に記載の歯科装置。
【請求項３７】
前記マウスピースが、患者の歯の咬合面に押し当たるように構成されたバイトプレートと、ベースに結合するように構成された伸長部とを含み、前記モータが、前記伸長部の長手方向の軸に実質的に一致するカウンタウェイト付きモータである、請求項２９に記載の歯科装置。
【請求項３８】
前記モータがパンケーキ・モータである、請求項２９に記載の歯科装置。
【請求項３９】
前記マウスピースが、患者の歯のすべてにわたって延在するようにＵ字形を有する、請求項２９に記載の歯科装置。
【請求項４０】
前記マウスピースが、患者の前歯の６本にわたってだけ延在するように構成される、請求項２９に記載の歯科装置。
【請求項４１】
前記マウスピースが、患者の臼歯にわたってだけ延在するように構成される、請求項２９に記載の歯科装置。
【請求項４２】
前記患者の歯の前記咬合面に近接する前記振動を検出するように構成されたセンサをさらに備える請求項２９に記載の歯科装置。
【請求項４３】
前記検出された振動に基づいて前記モータの設定を調節するように構成されたコントローラをさらに備える請求項４２に記載の歯科装置。